(57)【特許請求の範囲】
【請求項１】
少なくとも、所定の大きさの光源またはその像を形成する光源部と、該光源部からの光束を集光して被照明物体を照明する集光光学系とを有する照明装置において、
前記集光光学系は凹面鏡を有し、該凹面鏡は、楕円の第１焦点を通る基準軸であり、メリジオナル面内にある基準軸を中心に該楕円を回転させた楕円トーリック形状の回転体の一部により構成され、
前記光源部は発散光束を供給する光源部であり、前記基準軸上の第１焦点またはその近傍に配置され、
前記光源部からの光束のうち前記凹面鏡で反射した光束は、メリジオナル面内においては、前記楕円の第２焦点またはその近傍に集束され、サジタル面内においては前記基準軸上の点またはその近傍に集束され、
主光線に沿った、前記光源部から前記凹面鏡までの距離をａ、前記凹面鏡から前記基準軸上のサジタル面内の集束点までの距離をｂ、前記凹面鏡からメリジオナル面内の集束点までの距離をｃとするとき、１／ａ＋１／ｂ＝１／ｃなる関係が成り立つように構成されてなることを特徴とする照明装置。
【請求項２】
前記凹面鏡の反射面に、所定波長の軟Ｘ線を反射する多層膜を設けたことを特徴とする請求項１記載の照明装置。
【請求項３】
前記多層膜が、モリブデン／珪素、モリブデン／珪素化合物、ルテニウム／珪素、ルテニウム／珪素化合物、ロジウム／珪素、またはロジウム／珪素化合物の組み合わせのうち、いずれか一つの組み合わせで交互に複数回積層した交互多層膜により形成されてなることを特徴とする請求項２記載の照明装置。
【請求項４】
所定のパターンが設けられた第１物体の像を投影結像光学系を介して第２物体上に形成し、前記第１物体と前記第２物体とを移動させつつ露光を行う露光装置において、
少なくとも、所定の大きさの光源またはその像を形成する光源部と、該光源部からの光束を集光して前記第１物体を照明する集光光学系とを有する照明装置系を備えており、
前記集光光学系は凹面鏡を有し、該凹面鏡は、楕円の第１焦点を通る基準軸であり、メリジオナル面内にある基準軸を中心に該楕円を回転させた楕円トーリック形状の回転体の一部により構成され、
前記光源部は発散光束を供給する光源部であり、前記基準軸上の第１焦点またはその近傍に配置され、
前記光源部からの光束のうち前記凹面鏡で反射した光束は、メリジオナル面内においては、前記楕円の第２焦点またはその近傍に集束され、サジタル面内においては前記基準軸上の点またはその近傍に集束され、
主光線に沿った、前記光源部から前記凹面鏡までの距離をａ、前記凹面鏡から前記基準軸上のサジタル面内の集束点までの距離をｂ、前記凹面鏡からメリジオナル面内の集束点までの距離をｃとするとき、１／ａ＋１／ｂ＝１／ｃなる関係が成り立つように構成されてなり、
前記凹面鏡の第２焦点を含み該凹面鏡の回転基準軸に対して垂直な面内に被照明物体である前記第１物体が設置され、
前記凹面鏡の回転基準軸が前記投影結像光学系の光軸に一致し、
前記凹面鏡によるサジタル面内の集束点の位置が前記投影光学系の入射瞳上に配置されてなることを特徴とする露光装置。
【請求項５】
前記凹面鏡の反射面に、所定波長の軟Ｘ線を反射する多層膜を設けたことを特徴とする請求項４記載の露光装置。
【請求項６】
前記多層膜が、モリブデン／珪素、モリブデン／珪素化合物、ルテニウム／珪素、ルテニウム／珪素化合物、ロジウム／珪素、またはロジウム／珪素化合物の組み合わせのうち、いずれか一つの組み合わせで交互に複数回積層した交互多層膜により形成されてなることを特徴とする請求項５記載の露光装置。
【発明の詳細な説明】
【０００１】
【発明の属する技術分野】
本発明は、被照明物体を円弧状に照明する照明装置、及び該照明（装置）系を備えた露光装置に関するものであり、特に軟Ｘ線光学系等のミラープロジェクション方式により、フォトマスク（マスクまたはレチクル）上の回路パターンを反射型等の投影光学系を介して、ウェファー等の基板上に転写するのに用いて好適な装置に関するものである。
【０００２】
【従来の技術】
従来、半導体製造における露光では、物体面としてのフォトマスク（以下、マスクと称する）面上に形成された回路パターンを投影光学系を介してウェファー等の基板（以下、ウェファーと称する）上に投影転写している。
この投影光学系は複数の反射鏡を有しており、投影光学系の軸外の円弧状の良像領域のみが利用されて、マスク上の円弧領域のみがウェファー上に投影転写される。従って、マスク全体の回路パターンのウェファー上への転写は、マスクとウェファーとを一定方向に走査することにより行われている。
【０００３】
この走査方式による露光は、比較的高いスループットで、しかも高解像力が得られるという利点がある。
この種の露光においては、マスク上の円弧領域を均一に、しかも一定の開口数（ＮＡ）にて効率よく照明できる照明光学系が望まれており、本願と同一出願人による出願（特開平７−２３５４７０）には、平行光束を供給する光源部と反射型のオプティカルインテグレータと放物トーリック面形状の凹面鏡とを有し、マスク上を円弧状に均一照明できる照明光学系が提案されている。その概念図を図３に示す。
【０００４】
この照明光学系では、平行光束を供給する光源部３１が用いられ、サジタル面内（紙面に垂直な方向）のみにパワーを持つ一次元的なオプティカルインテグレータ３２によりサジタル面内で多重化された二次光源Ｉを作る。ただし、メリジオナル面内（紙面に平行な面）では平行な光束のままである。
そして、放物トーリック面形状のミラー３３により、この２次光源Ｉからの光束を集光することにより、メリジオナル面内では光源の像をマスク上に結像する臨界照明（クリティカル照明）を行い、またサジタル面内では平行光が異なる方向からマスクを照明するケーラー照明を行うものである。
【０００５】
ケーラー照明は、広い領域で均一な照明を行うのには有効であるが、前記の場合（特開平７−２３５４７０）にはオプティカルインテグレータを使用するので効率が良くない。そこで、特開平７−２３５４７０においては、照明する幅の狭いメリジオナル面内では臨界照明とすることにより光学系の効率を向上させている。
【０００６】
また、Ｘ線波長域にて使用できる反射型のオプティカルインテグレータについては、本願と同一出願人による出願（特開平６−２３５７９７）に記載されている。
なお、ここで用いられている放物トーリック面形状の凹面鏡の機能については、本願と同一出願人による出願（特開平６−９７０４７）に詳しく説明されている。その原理図を図４に示す。
【０００７】
この放物トーリック面反射鏡は放物線ＰＡの対称軸Ａｘ０上に、これに垂直な軸Ａｘ１を設け、この軸Ａｘ１の回りに放物面ＰＡを回転した形状を有している。対称軸Ａｘ０に平行な光束は、放物トーリック面反射鏡３で反射して放物線ＰＡの焦点ＣＢＦへ集光する。
一方、回転中心軸Ａｘ１上に点光源Ｉを設け、そこから発散する光束に着目すると、点光源Ｉから反射面までの距離と反射面から焦点ＣＢＦまでの距離が等しいならば、放物トーリック面反射鏡３で反射した光束は平行な光束になる。
【０００８】
以上のメリジオナル面内（紙面に平行な面）における光線の挙動は容易に理解できるが、サジタル面内（紙面に垂直な面）においても全く同様に平行光束は焦点に集まり、回転中心軸Ａｘ１上から発散する光束は平行光束になることが放物トーリック面形状の凹面鏡の大きな特徴である。
従って、オプティカルインテグレータを用いて回転中心軸Ａｘ１上に複数の二次光源を形成すれば、マスク上をケーラー照明することができる。また、この光学系は回転中心軸Ａｘ１の回りに回転対称なので円弧状の領域が照明されることになる。
【０００９】
【発明が解決しようとする課題】
上記のような従来の技術では、いずれもオプティカルインテグレータを使用して光束を発散させるため、照明に寄与しない光線が多くなり、照明光学系の効率が低下してしまうという問題点があった。
また、平行光束を供給する光源部が必要であるため、放射光光源のような平行光を発生する光源を用いる場合は良いが、レーザープラズマＸ線源のような発散光束を供給する光源用いる場合には、放物面鏡等により予め発散光束を平行光束に変換する必要がある。
【００１０】
ところが、軟Ｘ線領域では反射鏡の反射率が低いので反射面の増加は光学系の効率を大幅に低下させるという問題点があった。
露光装置において、照明光学系または照明装置の効率が低下すると、スループット（単位時間に処理できるウェファーの枚数）が低下するので、重大な問題点となる。
【００１１】
本発明は、このような問題点に鑑みてなされたものであり、オプティカルインテグレータを使用する必要が無く、単純な構成により効率を向上させることができる照明装置、および該照明（装置）系を備えることによりスループットを向上させた露光装置を提供することを目的とする。
【００１２】
【課題を解決するための手段】
そのため、本発明では第一に「少なくとも、所定の大きさの光源またはその像を形成する光源部と、該光源部からの光束を集光して被照明物体を照明する集光光学系とを有する照明装置において、
前記集光光学系は凹面鏡を有し、該凹面鏡は、楕円の第１焦点を通る基準軸であり、メリジオナル面内にある基準軸を中心に該楕円を回転させた楕円トーリック形状の回転体の一部により構成され、
前記光源部は発散光束を供給する光源部であり、前記基準軸上の第１焦点またはその近傍に配置され、
前記光源部からの光束のうち前記凹面鏡で反射した光束は、メリジオナル面内においては、前記楕円の第２焦点またはその近傍に集束され、サジタル面内においては前記基準軸上の点またはその近傍に集束され、
主光線に沿った、前記光源部から前記凹面鏡までの距離をａ、前記凹面鏡から前記基準軸上のサジタル面内の集束点までの距離をｂ、前記凹面鏡からメリジオナル面内の集束点までの距離をｃとするとき、１／ａ＋１／ｂ＝１／ｃなる関係が成り立つように構成されてなることを特徴とする照明装置（請求項１）」を提供する。
【００１３】
また、本発明は第二に「前記凹面鏡の反射面に、所定波長の軟Ｘ線を反射する多層膜を設けたことを特徴とする請求項１記載の照明装置（請求項２）」を提供する。
また、本発明は第三に「前記多層膜が、モリブデン／珪素、モリブデン／珪素化合物、ルテニウム／珪素、ルテニウム／珪素化合物、ロジウム／珪素、またはロジウム／珪素化合物の組み合わせのうち、いずれか一つの組み合わせで交互に複数回積層した交互多層膜により形成されてなることを特徴とする請求項２記載の照明装置（請求項３）」を提供する。
【００１４】
また、本発明は第四に「所定のパターンが設けられた第１物体の像を投影結像光学系を介して第２物体上に形成し、前記第１物体と前記第２物体とを移動させつつ露光を行う露光装置において、
少なくとも、所定の大きさの光源またはその像を形成する光源部と、該光源部からの光束を集光して前記第１物体を照明する集光光学系とを有する照明装置系を備えており、
前記集光光学系は凹面鏡を有し、該凹面鏡は、楕円の第１焦点を通る基準軸であり、メリジオナル面内にある基準軸を中心に該楕円を回転させた楕円トーリック形状の回転体の一部により構成され、
前記光源部は発散光束を供給する光源部であり、前記基準軸上の第１焦点またはその近傍に配置され、
前記光源部からの光束のうち前記凹面鏡で反射した光束は、メリジオナル面内においては、前記楕円の第２焦点またはその近傍に集束され、サジタル面内においては前記基準軸上の点またはその近傍に集束され、
主光線に沿った、前記光源部から前記凹面鏡までの距離をａ、前記凹面鏡から前記基準軸上のサジタル面内の集束点までの距離をｂ、前記凹面鏡からメリジオナル面内の集束点までの距離をｃとするとき、１／ａ＋１／ｂ＝１／ｃなる関係が成り立つように構成されてなり、
前記凹面鏡の第２焦点を含み該凹面鏡の回転基準軸に対して垂直な面内に被照明物体である前記第１物体が設置され、
前記凹面鏡の回転基準軸が前記投影結像光学系の光軸に一致し、
前記凹面鏡によるサジタル面内の集束点の位置が前記投影光学系の入射瞳上に配置されてなることを特徴とする露光装置（請求項４）」を提供する。
【００１５】
また、本発明は第五に「前記凹面鏡の反射面に、所定波長の軟Ｘ線を反射する多層膜を設けたことを特徴とする請求項４記載の露光装置（請求項５）」を提供する。
また、本発明は第六に「前記多層膜が、モリブデン／珪素、モリブデン／珪素化合物、ルテニウム／珪素、ルテニウム／珪素化合物、ロジウム／珪素、またはロジウム／珪素化合物の組み合わせのうち、いずれか一つの組み合わせで交互に複数回積層した交互多層膜により形成されてなることを特徴とする請求項５記載の露光装置（請求項６）」を提供する。
【００１６】
【発明の実施の形態】
図１は本発明にかかる照明装置（一例）の光学系の原理を示す図である。
凹面鏡Ｋは、楕円の一方の焦点（第１焦点）Ｆ１を通る基準軸ｌの回りに楕円を回転させた楕円トーリック面形状を有している。
光源部Ｓは焦点Ｆ１の位置に配置され、メリジオナル面内（紙面に平行な面内）では凹面鏡Ｋで反射した光束はもう一方の焦点（第２焦点）Ｆ２に集束し、この位置にマスクＭが配置される。
【００１７】
光学系全体は軸ｌについて回転対称なので、マスクＭ上では円弧状の領域が照明される。
メリジオナル面内では、図１から容易に理解されるように、光源部Ｓの像がマスクＭ上に形成される臨界照明（クリティカル照明）が行われる。臨界照明では、光源側の開口数が照明の開口数を決め、光源の大きさが照明領域の大きさを決める。また、サジタル面内では、凹面鏡Ｋで反射した光束は軸ｌとの交点Ｔに円錐状に集束する。
【００１８】
図１において、主光線に沿って、光源Ｓから凹面鏡Ｋの反射面Ｐまでの距離をａ、反射面Ｐから交点Ｔまでの距離をｂ、反射面ＰからマスクＭまでの距離をｃとする。
ここで理解しやすいように、図２（ｂ）にレンズに置き換えたサジタル面内での光線の様子を示す。光源Ｓから出た発散光束はＰの位置に置かれたレンズによりＴに集束する。
【００１９】
光源上の異なる点から発した光線がマスクＭ上で同一の点に集束するためには
１／ａ＋１／ｂ＝１／ｃ  ・・・１式
の条件を満たせば良い。この条件を満たすとき、光源の大きさが照明系の開口数を決め、また光源側の開口数が照明領域の大きさを決めるケーラー照明が可能になる。
【００２０】
図１において、軸ｌを投影光学系（不図示）の光軸と一致させ、交点Ｔが投影光学系の入射瞳面上に来るように配置すれば、サジタル面内ではケーラー照明が行われる。
凹面鏡Ｋをレンズに置き換えた図２により、光源の大きさおよび広がり角と、照明の開口数および照明領域の大きさの関係を説明する。
【００２１】
まず、図２（ａ）に示すメリジオナル面内では、光源の大きさをＷＭＯ、光源から発散する光線の広がり角をθＭＯ、照明領域の大きさをＷＭ  、照明の開口数（ＮＡ）をｓｉｎθＭ  とすると、ａ・ｓｉｎθＭＯ＝ｃ・ｓｉｎθＭ  であるから、照明の開口数は、ｓｉｎθＭ  ＝（ａ／ｃ）・ｓｉｎθＭＯで与えられる。軟Ｘ線縮小投影露光の光学系では開口数はあまり大きくない（０．１  程度）ので、メリジオナル方向の照明の開口数ｓｉｎθＭ  は〜θＭ  ＝（ａ／ｃ）・θＭＯとなる。また、メリジオナル方向の照明領域の大きさはＷＭ  ＝（ｃ／ａ）・ＷＭＯで与えられる。
【００２２】
以上のように、メリジオナル面内ではθＭＯがθＭ  を決めＷＭＯがＷＭ  を決める。θＭＯはメリジオナル方向における凹面鏡の反射面寸法により決められる。
次に、図２（ｂ）に示すサジタル面内では、光源の大きさをＷＳＯ、光源から発散する光線の広がり角をθＳＯ、照明領域の大きさをＷＳ  、照明の開口数をｓｉｎθＳ  とすると、ＷＳＯ＝２ｃ・ｓｉｎθＳ  であるから、サジタル方向の照明の開口数はｓｉｎθＳ  ＝ＷＳＯ／２ｃで与えられる。また、サジタル方向の照明領域の大きさはＷＳ  ＝２ｃ・ｔａｎθＳＯで与えられる。ＷＳ  は円弧状の照明領域の弦の長さを表す。
【００２３】
以上のように、サジタル面内ではＷＳＯがθＳ  を決め、θＳＯがＷＳ  を決める。
θＳＯはサジタル方向における凹面鏡の反射面寸法により決められる。
凹面鏡の反射面の範囲は、上記のθＭＯとθＳＯをカバーするように決められる。
本発明の照明系の寸法形状を決めるパラメータは、楕円の寸法形状を決めるパラメータ（例えば短軸半径と長軸半径）が二つと、楕円上で反射面Ｐの位置と、回転中心軸ｌの楕円に対する傾きの合計四つあるが、数式１の条件を満たす必要があるために自由度は３である。
【００２４】
例えば、図５に示すように、凹面鏡への主光線の入射角θ１  とマスクへの入射角θ２  を与えると全体の形状が決定し、更にマスク上での円弧状の照明領域の半径Ｒを与えると、全ての寸法が決定する。
表１〜３に楕円の設計値（短軸半径と長軸半径）の例を示す。円弧状の照明領域の半径は１２０ｍｍとした。表１はマスクへの主光線の入射角θ２  が０゜のテレセントリック条件の場合、表２と表３はマスクへの主光線の入射角θ２  がそれぞれ５゜と１０゜の非テレセントリック条件の場合である。
【００２５】
凹面鏡への主光線の入射角θ１  を１５゜から８０゜まで変えた場合の楕円の設計値はこれらの表の通りになる。露光装置全体の光学系の配置を勘案して適切なパラメータを選択することが出来る。
【００２６】
【表１】
0003608015.tif 000002
【００２７】
【表２】
0003608015.tif 000003
【００２８】
【表３】
0003608015.tif 000004
【００２９】
以上のように本発明の照明光学系は、たった一枚の反射面のみにより、メリジオナル面内では臨界照明（クリティカル照明）を、サジタル面内ではケーラー照明を実現することが出来る。
図１及び図２では、マスクに対する照明光の主光線の入射が垂直ではない非テレセントリックの場合を示してある。
【００３０】
一般に、軟Ｘ線縮小投影露光においては、大面積の透過マスクを作製することが困難であり、反射マスクが使用される。反射マスクを使用する場合には、マスクへの入射光線と反射光線が重ならないようにするために非テレセントリックにする必要があり、本発明はそのような使用法に適している。
但し、本発明による照明系をテレセントリックの場合に適用することも可能であり、その場合はｂが無限大となり円筒状の光束がマスクを照明する（軸ｌと平行になり交わらない）。
【００３１】
本発明にかかる凹面鏡Ｋの反射面は、所定波長の軟Ｘ線を反射する多層膜により形成することが好ましい。
また、かかる多層膜は、モリブデン／珪素、モリブデン／珪素化合物、ルテニウム／珪素、ルテニウム／珪素化合物、ロジウム／珪素、またはロジウム／珪素化合物の組み合わせのうち、いずれか一つの組み合わせで、交互に複数回積層したものにより形成することが好ましい。特に、波長が１３ｎｍ付近の軟Ｘ線を使用する場合に好ましい。
【００３２】
以上のように、本発明によれば、オプティカルインテグレータを用いることなく、わずか一枚の凹面鏡で照明光学系を構成することが出来るので、オプティカルインテグレータで光束を発散させることによる光量の損失が無くなり、また反射面の枚数の増加による光量の損失も最小限に抑えられるので、照明装置の効率を向上させることができる。
【００３３】
また、その結果、該照明（装置）系を備えた露光装置のスループットを向上させることができる。
以下、本発明を実施例により具体的に説明するが、本発明はこの例に限定されるものではない。
【００３４】
【実施例１】
図６は本発明の第１の実施例である照明装置（系）及びこれを備えた露光装置を表す概略構成図である。
Ｘ線光学系は空気による軟Ｘ線の吸収を防ぐために、すべて真空容器内に配置されている。
【００３５】
光源１にはレーザープラズマＸ線源を用いた。ＹＡＧレーザーのパルス状発光を集光して、タンタル（Ｔａ）の板からなるターゲット表面へ照射する（これらは不図示）ことにより、ターゲット表面近傍にプラズマが発生し、このプラズマからＸ線が放出される。
なお、ターゲット材料は、Ｔａに限定されるものではなく、例えば、Ｓｎ、
Ｐｂ、Ｓｂ、Ｗ、Ａｕ等でも良い。また、合金や化合物でもかまわない。
【００３６】
ＹＡＧレーザー光源は大気中に設置し、レーザー光は真空容器の窓から真空容器内へ導入される。レーザー光を集光する光学系は、大気中に設置しても真空容器内に設置しても、いずれでもかまわない。
このようなレーザープラズマＸ線源の光源（Ｘ線源）の大きさは、レーザーの集光径によって決まるが、一般に０．１  〜１ｍｍ程度の直径になる。これを大きくし過ぎると、投入されるエネルギー密度が低下してＸ線（プラズマ）が発生しなくなる。
【００３７】
本実施例では、サジタル面内に大きさを持つ光源１を得るために、メリジオナル面内では０．８  ｍｍ、サジタル面内では４．８  ｍｍの寸法の偏平な楕円形状にレーザーを集光してターゲット表面に照射した。
なお、レーザープラズマＸ線源に使用するレーザーはＹＡＧレーザーに限定されることはなく、高出力のパルスレーザーならば良い。例えば、エキシマレーザー、ガラスレーザー、チタンサファイヤレーザー等のレーザーを使用することが出来る。
【００３８】
このような光源１から発散する光束は、楕円トーリック面の一部からなる凹面鏡２で反射される。光源１は楕円トーリック面の回転中心軸（基準軸）５上に配置される。
本実施例では、円弧状の照明領域の半径を１２０ｍｍ、凹面鏡２への主光線４の入射角θ１  は４５゜、マスク３への主光線４の入射角θ２  は０゜（テレセントリック）とするために、楕円の長軸半径は１２０ｍｍ、短軸半径は８４．８５３ｍｍとした。
【００３９】
メリジオナル面内では、光源１から発散する光束は凹面鏡２で反射した後、マスク３上に集束する。即ち、メリジオナル面内では臨界照明（クリティカル照明）が行われる。マスク３上の幅０．８  ｍｍの領域が照明される。照明の開口数は
０．０２となるように凹面鏡２のメリジオナル面内の幅を決めた。
サジタル面内では、光源１から発散する光束のうち±２０゜の範囲を取り込むように凹面鏡２のサジタル面内で光軸に垂直方向の幅を決めたので、円弧状の照明領域の長さ（弦の長さ）は８２ｍｍである。
【００４０】
光源１上の異なる位置から発して、同じ方向へ進む光線は、異なる角度でマスク３上の同一の位置に入射する。即ち、サジタル面内ではケーラー照明が行われる。
照明の開口数は光源１の大きさと凹面鏡２とマスク３の距離ｃによって決まり、０．０２となっている。また、照明光の主光線４は円筒状にマスク３に垂直に入射しテレセントリック条件を満たす。
【００４１】
なお、凹面鏡２の反射面には、波長１３ｎｍの軟Ｘ線を選択的に反射するように構成されたＭｏ（モリブデン）／Ｓｉ（シリコン）多層膜を形成した。
マスク３は透過型のＸ線マスクであり、厚さ０．１  μｍのＳｉＮ（窒化シリコン）からなるメンブレン（自立膜）上にＡｕ（金）の回路パターンが形成されたものである。
【００４２】
マスク３の周辺部（Ｘ線を透過させない部分）にはＳｉ（シリコン）とガラスからなる支持枠が形成されている。マスク３はマスクステージ６上に保持されている。
マスク３の直前には、所定の照明領域以外の領域へ入射する光線を遮蔽するためのスリット７が設けられているが、本実施例による照明装置（系）においてはその様な光線はごく僅かであるので、スリット７は省略することもできる。
【００４３】
投影光学系８は、４枚の非球面ミラーからなる光学系であり、各ミラーの反射面には波長１３ｎｍの軟Ｘ線を選択的に反射するように構成されたＭｏ／Ｓｉ多層膜が形成されている。
また、投影光学系８は、円弧状の領域で収差が補正された物体側、像側ともにテレセントリックな光学系であり、縮小倍率は１／４、縮小側の開口数は０．０８である。投影光学系８の光軸９は、照明装置（系）の凹面鏡２である楕円トーリック面の回転中心軸５と一致するように配置される。
【００４４】
この投影光学系８により、マスク３上の円弧状照明領域の回路パターンは、フォトレジストを塗布したウェファー１０上へ縮小転写される。ウェファー１０はウェファーホルダー１１に保持されている。
この露光装置では一度に円弧状の領域しか露光出来ないので、マスクステージ６とウェファーステージ１１とを同期して矢印の方向へ動かすことによってマスク３上の回路パターン全体をウェファー１０へ転写する。
【００４５】
本露光装置は、幅０．２  ｍｍ、長さ２０．５ｍｍの円弧状の領域内全体で、０．１  μｍ以下の解像力を有する。
【００４６】
【実施例２】
図７は本発明の第２の実施例である照明装置及びこの照明装置（系）を備えた露光装置を表す概略構成図である。
光源１は第１の実施例と同様のレーザープラズマＸ線源であるので説明は省略する。
【００４７】
光源１から発散する光束は、楕円トーリック面の一部からなる凹面鏡２で反射される。光源１は楕円トーリック面の回転中心軸（基準軸）５上に配置される。本実施例では、円弧状の照明領域の半径を１２０ｍｍ、凹面鏡２への主光線４の入射角θ１  は４０゜、マスク３への主光線４の入射角θ２  は５゜とするために、楕円の長軸半径は１２５．７２８  ｍｍ、短軸半径は９６．２２８ｍｍとした。
【００４８】
メリジオナル面内では、光源１から発散する光束は凹面鏡２で反射した後、マスク３上に集束する。即ち、メリジオナル面内では臨界照明（クリティカル照明）が行われる。マスク上の幅０．８  ｍｍの領域が照明される。照明の開口数は０．０２となるように凹面鏡２のメリジオナル面内の幅を決めた。
サジタル面内では、光源１から発散する光束のうち±２０゜の範囲を取り込むように凹面鏡２のサジタル面内で光軸に垂直方向の幅を決めたので、円弧状の照明領域の長さ（弦の長さ）は８２ｍｍである。
【００４９】
光源１上の異なる位置から発し、同じ方法へ進む光線は異なる角度でマスク３上の同一の位置に入射する。即ち、サジタル面内ではケーラー照明が行われる。照明の開口数は光源１の大きさと凹面鏡２とマスク３の距離ｃによって決まり、０．０２となっている。また、照明光の主光線４は円錐状にマスク垂直に入射してトーリック面の回転中心軸５上で交わる。
【００５０】
なお、凹面鏡２の反射面には、波長１３ｎｍの軟Ｘ線を選択的に反射するように構成されたＭｏ（モリブデン）／Ｓｉ（シリコン）多層膜を形成した。
マスク３は反射型のＸ線マスクであり、波長１３ｎｍの軟Ｘ線を反射するように構成されたＭｏ／Ｓｉ多層膜の上にＮｉ（ニッケル）の回路パターンが形成されたものである。
【００５１】
反射型のマスクを使用するために、照明装置（系）は非テレセントリックになっている。照明光の主光線４のマスク３への入射角は５゜とした。マスク３はマスクステージ６上に保持されている。
マスク３の直前には、所定の照明領域以外の領域へ入射する光線を遮蔽するためのスリット７が設けられているが、本実施例による照明装置（系）においてはその様な光線はごく僅かであるので、スリット７は省略することもできる。
【００５２】
投影光学系８は、４枚の非球面ミラーからなる光学系であり、各ミラーの反射面には波長１３ｎｍの軟Ｘ線を選択的に反射するように構成されたＭｏ／Ｓｉ多層膜が形成されている。
また、投影光学系８は、円弧状の領域で収差が補正された像側テレセントリックな光学系であり、縮小倍率は１／４、縮小側の開口数は０．０８である。投影光学系８の光軸９は、照明装置（系）の凹面鏡２である楕円トーリック面の回転中心軸５と一致するように、また、投影光学系８の入射瞳上に照明装置（系）の凹面鏡２のサジタル面内の集光点が来るように配置される。
【００５３】
この投影光学系８により、マスク３上の円弧状照明領域の回路パターンは、フォトレジストを塗布したウェファー１０上へ縮小転写される。ウェファー１０はウェファーホルダー１１に保持されている。
この露光装置では一度に円弧状の領域しか露光出来ないので、マスクステージ６とウェファーステージ１１とを同期して矢印の方向へ動かすことによってマスク３上の回路パターン全体をウェファー１０へ転写する。
【００５４】
本露光装置は、幅０．２  ｍｍ、長さ２０．５ｍｍの円弧状の領域内全体で、０．１  μｍ以下の解像力を有する。
【００５５】
【発明の効果】
以上のように、本発明によれば、オプティカルインテグレータを用いることなく、わずか一枚の凹面鏡で照明光学系を構成することが出来るので、オプティカルインテグレータで光束を発散させることによる光量の損失が無くなり、また反射面の枚数の増加による光量の損失も最小限に抑えられるので、照明装置の効率を向上させることができる。
【００５６】
また、その結果、該照明装置系を備えた露光装置のスループットを向上させることができる。
【図面の簡単な説明】
【図１】は、本発明にかかる照明装置（一例）の光学系であり、光源部Ｓ、凹面鏡上の反射点Ｐ、マスクＭを含むメリジオナル面内の断面図である。
【図２】は、本発明にかかる照明装置（一例）の機能を示す説明図である。
【図３】は、オプティカルインテグレータを用いた従来の照明装置の構成図である。
【図４】は、放物トーリック面形状を有する反射鏡（従来の照明装置で使用）の機能を示す説明図である。
【図５】は、本発明にかかる楕円トーリック面形状を有する反射鏡による照明装置（一例）の概念図である。
【図６】は、本発明による照明装置を備えた露光装置の第１の実施例（軟Ｘ線投影露光装置）を示す概略構成図である。
【図７】は、本発明による照明装置を備えた露光装置の第２の実施例（軟Ｘ線投影露光装置）を示す概略構成図である。
【主要部分の符号の説明】
１  ・・・光源（光源部）
２  ・・・凹面鏡
３  ・・・マスク
４  ・・・照明光の主光線
５  ・・・トーリック面の回転中心軸（基準軸）
６  ・・・マスクステージ
７  ・・・スリット
８  ・・・投影光学系
９  ・・・投影光学系の光軸
１０・・・ウェファー
１１・・・ウェファーステージ
Ｋ・・・・凹面鏡
以上
【図１】
0003608015.tif 000005
【図２】
0003608015.tif 000006
【図３】
0003608015.tif 000007
【図４】
0003608015.tif 000008
【図５】
0003608015.tif 000009
【図６】
0003608015.tif 000010
【図７】
0003608015.tif 000011